(57)【要約】      （修正有）【課題】シャンプー後のペットの乾燥に用いて、体毛が室内に飛び散ることなく乾燥することのできる簡便なペット乾燥用エプロンを提供する。【解決手段】エプロン１は、乾燥用空気の送風ホース１２を備え、送風ホース１２の吹き出し口１３が手のひら側の袖口３に設置されている。【選択図】図１
0003188047.tif 000002
【実用新案登録請求の範囲】
【請求項１】
乾燥用空気の送風ホースを備え、該送風ホースの吹き出し口が手のひら側の袖口に設置されていることを特徴とするペット乾燥用エプロン。
【請求項２】
前記乾燥用空気は温風であり、かつ前記吹き出し口近辺の手のひらを保護するための断熱布が備えられていることを特徴とする請求項1に記載のペット乾燥用エプロン。
【請求項３】
前記吹き出し口は左右の両袖口に設置されていることを特徴とする請求項１又は２に記載のペット乾燥用エプロン。
【請求項４】
前記送風ホースの吹き出し口手前に、開度調整可能な外気取り入れ口が設けられていることを特徴とする請求項１〜３のいずれか一項に記載のペット乾燥用エプロン。
【請求項５】
吸引排気ホースが備えられ、該吸引排気ホースの吸引口が手の甲側の袖口に設置されていることを特徴とする請求項１〜４のいずれか一項に記載のペット乾燥用エプロン。
【請求項６】
前記吸引口には手の甲を覆うフードが付設されていることを特徴とする請求項５に記載のエプロン。
【請求項７】
前記吸引口は左右の両袖口に設置されていることを特徴とする請求項５又は６に記載のペット乾燥用エプロン。
【請求項８】
前記吸引排気ホースは掃除機の吸気口に連結していることを特徴とする請求項５〜７のいずれか一項に記載のエプロン。
【請求項９】
前記送風ホースはドライヤーの送風口に連結していることを特徴とする請求項１〜８のいずれか一項に記載のエプロン。
【考案の詳細な説明】
【技術分野】
【０００１】
本考案は犬や猫などのペットのトリミングやシャンプーを行った後に、ペットの体や体毛を乾燥する際に着用するエプロンに関する。
【背景技術】
【０００２】
ペットショップにおいてペットのトリミング、シャンプーを行い、タオルで体をふき取った後の乾燥は、乾燥用空気の送風ホースと、飛び散る体毛などをペット周辺の空気と共に吸引する吸引排気ホースとを備えた作業台の上で行うのが一般的である。
【０００３】
しかしながら、シャンプーなどはペットショップに依頼することなく、家庭内で行うことも多く、ペット用の簡易な置型ドライヤーも市販されている。しかしながら一般の家庭内では、体毛が飛び散ることなく乾燥するために、付属設備の整った大きな作業台を設置することは難しい。そのため、ペットの首を出すための開口部と乾燥用空気の送風口を設けた袋体を使用する乾燥器具も提案されている（特許文献１を参照）。さらに、ペットを蓋体で覆い、掃除機を利用して蓋体内の排気と乾燥用空気の送風とを循環させて、効率の良く乾燥作業ができる簡便な作業台セットも提案されている（特許文献２を参照）。
【０００４】
これらの乾燥器具は、いずれも乾燥に際して体毛が室内に飛び散ることがなく、一般の家庭でも使用できるものではあるが、いずれも、ペットを狭い空間内に閉じ込めることになり、ペットに大きなストレスをかけることになる。そのため、ペットが嫌がって逃げ出そうとしたり、暴れたりして、作業がスムーズにできないことが多い。
【０００５】
そのため、簡便な器具用品でもって、ペットショップでも、一般の家庭でもペットの乾燥作業を簡易に行うことのできるものが望まれていた。
【先行技術文献】
【特許文献】
【０００６】
【特許文献１】特開２００４−３３７１４４号公報
【特許文献２】特開２００６−２２３２３１号公報
【考案の概要】
【考案が解決しようとする課題】
【０００７】
本考案の課題は、シャンプー後のペットの乾燥に用いて、体毛が室内に飛び散ることなく乾燥することのできる簡便な器具用品を提供することである。
【課題を解決するための手段】
【０００８】
本考案で提案する器具用品は、乾燥用空気の送風ホースを備え、該送風ホースの吹き出し口が手のひら側の袖口に設置されていることを特徴とするペット乾燥用エプロンである。
【０００９】
そして、乾燥用空気は温風であり、かつ吹き出し口近辺の手のひらを保護するための断熱布が備えられていることが好ましく。さらには、吹き出し口は左右の両袖口に設置されていることや、前記送風ホースの吹き出し口手前に、開度調整可能な外気取り入れ口が設けられていることも好ましい。
【００１０】
また、上記したエプロンに吸引排気ホースが備えられ、該吸引排気ホースの吸引口が手の甲側の袖口に設置されていることが好ましく、さらに、この吸引口には手の甲を覆うフードが付設されていることが好ましい。そして、吸引排気ホースは掃除機の吸気口に連結し、送風ホースはドライヤーの送風口に連結していることも好ましい。
【考案の効果】
【００１１】
本考案のエプロンでは袖口に乾燥用空気の吹き出し口が設置されているため、ペットの乾燥作業中は両手がフリーとなり、シャンプーを終えたペットの体をタオルで拭きあげ、次いで湿ったペットの体毛を指で掻き揚げながら乾燥することができ、効率よく乾燥できる。また、乾燥させながらブラッシングを行うこともできる。さらに、吸引排気ホースを備えることにより、ペットの体周辺で飛び散り舞い上がる体毛を、吸引口から空気と共に吸引除去することができる。この時、吹き出し口を両袖口に設置したり、吸引口に手の甲を覆うようなフードを設置したりした場合には、乾燥効率もよく、吸引除去もより効率的に行うことができる。
【００１２】
また、送風ホースに開度調整可能な外気取り入れ口が設けられている場合には、乾燥用空気の温度を調整することができ、ペットの状態を見ながら、開度を調整することもできる。
【００１３】
このように、エプロンの袖口に吹き出し口や吸引口を設置した簡便な器具用品を用いることで、効率よくペットの乾燥を行うことができる。また、このエプロンを着用して乾燥を行う場合には、ペットの体を蓋体や袋などで覆うことなく、効率よく乾燥することができペットに与えるストレスを減少させ、さらには、乾燥作業中吹き出し口や吸引口を手で保持する必要がなく、手がフリーに使えるため、ペットの体をさすったり、なでたりしてペットのストレスを解消させることもできる。
【図面の簡単な説明】
【００１４】
【図１】本考案のエプロンの実施例の説明図である。
【図２】開度調整可能な外気取り入れ口の実施例の詳細説明図である。
【考案を実施するための形態】
【００１５】
図１は本考案の実施例であるエプロン１の説明図であり、エプロン１を着用し両手を広げた状態を示している。エプロン１では両袖２が本体４に取り付けられており、本実施例においては、この両袖２の袖口３に、送風ホース１２の吹き出し口１３と、吸引排気ホース２２の吸引口２３とが設置されている。そして、両手の拡大図に示すように、吹き出し口１３は手のひら側に設置され、吸引口２３には手の甲を覆うフード２４が付設されている。送風ホース１２はドライヤー１０の送風口１１に連結され、吸引排気ホース１２は掃除機２０の吸気口２１に連結されている。
【００１６】
図１では、吹き出し口１３と吸引口２３とが左右の両方の袖口３に設置したエプロン1を示しているが、吹き出し口１３と吸引口２３とは左右いずれか一方の袖口のみに設置してもよい。これらの場合、それぞれの形態に応じて、送風ホース１２及び吸引排気ホース２２は途中で分岐したり、２本にして併設したりしてもよく、エプロンの内部や外部に適宜配置することができる。図１ではこれらの詳細は図示せず、袖口３から乾燥機１０又は掃除機２０に連結していることを簡略化して示している。
【００１７】
本考案のエプロンは乾燥作業中にペットの体から飛び散り舞い上がる体毛が作業者に付着するのを防ぐだけでなく、本考案のエプロンでは、乾燥空気の吹き出し口１３や吸引口２３は袖口３に設置されているため、これらの各口を手で保持する必要がなく、手はフリーに使える。そのため前記したようにタオルで拭きあげながら乾燥作業もでき、また櫛やブラシを持って、体毛を乾燥しながらブラッシングなどを行うこともできる。
【００１８】
また、図１に示す実施例では、乾燥用空気を加温して温風とした場合に、吹き出し口１３付近の手のひらを保護するための断熱布５が備えられている。この断熱布５は、ペットの乾燥作業に支障のないように、手のひらの指以外の部分を覆うようにしており、断熱性のある繊維織物や皮革を指部分のない手袋状としたり、矩形の織物や皮革に指を通す穴を開けたりして、手のひらに装着できる。
【００１９】
そして、送風ホース１２の吹き出し口１３の手前に、開度調整可能な外気取り入れ口１４が設けられている。図２は、この外気取り入れ口１４の詳細説明図である。上部の図は図1における手首周辺の図の拡大図であり、下部の図は斜視及び断面説明図である。斜視及び断面説明図に示すように、送風ホース１２には開口部１５が設けられ、この開口部１５を覆うようにスリーブ状の開度調整具１６が回転可能に取り付けられている。開度調整具１６には開口部１７が設けられており、回転させることにより、開口部１５と開口部１７との位置関係を調整することが可能となっている。そのため、開口部１５と開口部１７とを完全に一致させ、最も大きく開口させた状態から、図２に示すように開口部１５を開度調整具で閉鎖させた状態まで、連続的に開度を調整することができる。
【００２０】
乾燥用空気の温度は、ドライヤー１０の温度調整機構によっても設定できるが、図２に示したように、手元にある外気取り入れ口１４の開度を調整することにより、外気の取り入れ量を制御して温度を調整できる。
【００２１】
さらに、吸引口２３に手の甲を覆うフード２４を付設することにより、飛び散り舞い上がる体毛を効率よく吸引除去し、これらのものが室内に拡散することを防ぐことがより効果的にできる。
【００２２】
ドライヤーとしては、市販されている据置型のペット用ドライヤーを用いることができる。また、布団用ドライヤーを転用することもできる。特にペット用ドライヤーとしては、温風の最高温度を低めに設定したり、運転音もペットの嫌がる高周波音をカットしたりしたものが市販されており、好ましく採用できる。掃除機としては、一般の家庭用に市販されているものを転用することができる。
【００２３】
乾燥用の送風ホース１２は、温風を送風するために、断熱性の部材により構成し、樹脂製の蛇腹やさらにその上を布帛で覆って断熱しておくことが好ましい。また、送風する乾燥用空気の最高温度は７０℃以下、好ましくは６０℃以下であることが、ペットや作業者にとって好ましい。
【００２４】
また、図1においては、両袖のあるエプロンとしてワンピースタイプを示したが、各ホースの吹き出し口や吸引口を設置する袖口があればよく、本体４は前掛け形式であるいわゆる割烹着タイプでもよく、正面と背面も覆うワンピースタイプだけでなく、正面のみを覆う前掛けの形式でもよい。さらに、袖口は絞り込んであってもよいし、開口していてもよい。また、前掛け方式の場合、リボン状の布地を腰紐として用いて固定したり、背面で交差させて結んで固定したりするほか、前掛けの上部に首を通せる首紐を設けて着用するタイプでもよく、エプロンとして機能するものであればそのスタイルは特に限定されない。
【００２５】
以上のように、本考案では、ペットの乾燥の用いる簡便な器具用品として、エプロンの袖口に送風ホースの吹き出し口や吸引排気ホースの吸引口を設置したエプロンを提供するものである。
【符号の説明】
【００２６】
１  エプロン
２  エプロンの袖
３  エプロンの袖口
４  エプロンの本体
５  断熱布
１０  ドライヤー
１１  送風口
１２  送風ホース
１３  吹き出し口
１４  外気取り入れ口
１５  開口部
１６  開度調整具
１７  開口部
２０  掃除機
２１  吸気口
２２  吸引排気ホース
２３  吸引口
２４  フード
【図１】
0003188047.tif 000003
【図２】
0003188047.tif 000004